(57)【要約】【課題】ストラップのループ状部の長さ調整を容易に行うことができる簡易な構造の杖の取手構造及びその使用方法を提供する。【解決手段】本杖の取手構造１は、ストラップ４の一端部４ａに設けたストラップ挿通具（バックル５）を、ストラップの他端部より挿通してループ状部１０を形成すると共に、ストラップの他端部を取手３側に設けた固定部（取付孔部１５）に固定して構成される。また、前記ストラップ挿通具は、一対の挿通孔部８，８と、ストラップの一端部に設けた筒状部を支持する支持部７とを有することが好ましい。さらに、ストラップに、ストラップ挿通具の挿通を規制する規制具（はと目金具１３）を設けることが好ましい。【選択図】  図１
2004154434.tif 000002
【特許請求の範囲】
【請求項１】
長さ調整可能なループ状部を形成するストラップを備えてなる杖の取手構造において、
前記ストラップの一端部に設けたストラップ挿通具を、該ストラップの他端部より挿通して前記ループ状部を形成すると共に、該ストラップの他端部を取手側に設けた固定部に固定したことを特徴とする杖の取手構造。
【請求項２】
前記ストラップ挿通具は、一対の挿通孔部と、前記ストラップの一端部に設けた筒状部を支持する支持部と、を有する請求項１記載の杖の取手構造。
【請求項３】
前記ストラップに、前記ストラップ挿通具の挿通を規制する規制具を設けた請求項１又は２に記載の杖の取手構造。
【請求項４】
前記規制具を介して前記ストラップに音発生手段を設けた請求項３記載の杖の取手構造。
【請求項５】
前記規制具を介して前記ストラップに使用者情報表示手段を設けた請求項３記載の杖の取手構造。
【請求項６】
前記ストラップの他端部に、互いに係脱可能な一対の係止具を設け、該一対の係止具の係合によって、該ストラップの他端部に筒状部を形成するようにした請求項１乃至５のいずれか一項に記載の杖の取手構造。
【請求項７】
前記杖がトレッキング用である請求項１乃至６のいずれか一項に記載の杖の取手構造。
【請求項８】
請求項１乃至７のいずれか一項に記載の杖の取手構造の使用方法であって、
前記ストラップ挿通具を指先で摘んで、該ストラップ挿通具の前記ストラップに対する挿通位置を調整して、前記ループ状部の長さを調整するようにしたことを特徴とする杖の取手構造の使用方法。
【請求項９】
前記ストラップ挿通具と前記規制具との係止によって、前記ループ状部が所定の長さより小さくならないようにした請求項８記載の杖の取手構造の使用方法。
【発明の詳細な説明】
【０００１】
【発明の属する技術分野】
本発明は、杖の取手構造に関し、更に詳しくは、ストラップのループ状部の長さ調整を容易に行うことができる簡易な構成の杖の取手構造及びその使用方法を提供することを目的とする。
【０００２】
【従来の技術】
従来より、杖の取手構造として、例えば、長さ調整可能なループ状部を形成するストラップを備えてなるものが一般的に知られている。即ち、図７に示すように、ストラップ１０４の一端部１０４ａに設けたストラップ挿通具１０５（例えば、バックル等）にストラップ１０４の他端部１０４ｂを挿通してループ状部１１０を形成し、このループ状部１１０の途中部位を取手１０３側に設けた固定部１１５に固定ネジ１１６により固定している。
しかし、上記従来の取手構造では、ループ状部１１０の長さ調節の際、ストラップ１０４とストラップ挿通具１０５の係止を一端解除し、ストラップ１０４の他端部１０４ｂの引き出し量を調整してから、再び、ストラップ１０４をストラップ挿通具１０５に係止することが必要である。従って、ループ状部の長さ調節が煩雑で、面倒であるという問題点を有している。特に、杖の使用者が、指先の自由がきかない老人や身体障害者等であったり、防寒用の手袋を着用した人であったりした場合には、これらの者が、このループ状部の長さ調節を円滑に行うことは実質的に不可能である。
そこで、上記問題を解決する従来の杖の取手構造として、例えば、ストラップの一端部を固定する固定部と、ストラップを挟持しながら摺動可能な状態に支持する圧接支持部と、を取手に設けてなるものが知られている（例えば、特許文献１参照。）。これにより、ストラップのループ状部又は線状部を引っ張ることによって、ループ状部の長さ調節を容易に行うことができる。
【０００３】
【特許文献１】
特開２００１−１７８８６２号公報
【０００４】
【発明が解決しようとする課題】
しかし、上記従来の取手構造では、比較的複雑な構造の圧接支持部を取手に設ける必要があるので、取手自身の構造が複雑となり、全体としての製造コストが高くなってしまうといった問題があった。
【０００５】
以上より、本発明は、上記現状に鑑みてなされたものであり、ストラップのループ状部の長さ調整を容易に行うことができる簡易な構造の杖の取手構造及びその使用方法を提供することを目的とする。
【０００６】
【課題を解決するための手段】
本発明の杖の取手構造は、長さ調整可能なループ状部を形成するストラップを備えてなる杖の取手構造において、前記ストラップの一端部に設けたストラップ挿通具を、該ストラップの他端部より挿通して前記ループ状部を形成すると共に、該ストラップの他端部を取手側に設けた固定部に固定したことを特徴とする。
【０００７】
また、前記ストラップ挿通具は、一対の挿通孔部と、前記ストラップの一端部に設けた筒状部を支持する支持部と、を有することができる。
また、前記ストラップに、前記ストラップ挿通具の挿通を規制する規制具を設けることができる。
また、前記規制具を介して前記ストラップに音発生手段を設けることができる。
また、前記規制具を介して前記ストラップに使用者情報表示手段を設けることができる。
また、前記ストラップの他端部に、互いに係脱可能な一対の係止具を設け、該一対の係止具の係合によって、該ストラップの他端部に筒状部を形成することができる。
さらに、前記杖がトレッキング用であることができる。
【０００８】
本発明の杖の取手構造の使用方法は、上述の杖の取手構造の使用方法であって、前記ストラップ挿通具を指先で摘んで、該ストラップ挿通具の前記ストラップに対する挿通位置を調整して、前記ループ状部の長さを調整するようにしたことを特徴とする。
さらに、前記ストラップ挿通具と前記規制具との係止によって、前記ループ状部が所定の長さより小さくならないようにすることができる。
【０００９】
【発明の効果】
本発明の杖の取手構造によると、ストラップ挿通具を指先で摘んで、ストラップに対する挿通位置の調整でき、ループ状部の長さ調節を容易に行うことができる。特に、杖の使用者が、把持力の弱い老人や身体障害者等であったり、防寒用の手袋等を着用した人であったりしても、ストラップのループ状部の長さを容易に調整することができる。
また、取手側にはストラップの固定部を設けるのみでよく、従来のように、複雑な構造の圧接支持部を設ける必要がなく、全体として簡易な構造で安価なものとすることができる。
【００１０】
また、前記ストラップ挿通具が、一対の挿通孔部と、前記ストラップの一端部に設けた筒状部を支持する支持部とを有する場合は、汎用品であるストラップ及びストラップ挿通具を使用でき、全体として更に簡易な構造で安価なものとすることができる。
また、前記ストラップに、前記ストラップ挿通具の挿通を規制する規制具を設ける場合は、ループ状部が所望の長さより狭まることを規制でき、ループ状部に対する手首の出し入れを容易に行うことができる。
また、前記規制具を介して前記ストラップに音発生手段を設ける場合は、規制具を利用して杖に音発生手段を備えることができる。
また、前記規制具を介して前記ストラップに使用者情報表示手段を設ける場合は、規制具を利用して杖に使用者情報表示手段を備えることができる。
また、前記ストラップの他端部に、互いに係脱可能な一対の係止具を設け、該一対の係止具の係合によって、該ストラップの他端部に筒状部を形成するようにした場合は、その筒状部を介してストラップ端部を固定部に着脱自在に固定することができる。
さらに、前記杖がトレッキング用である場合は、トレッキング用の杖の取手構造として簡易な構造で安価なものを提供することができる。
【００１１】
本発明の杖の取手構造の使用方法によると、ストラップ挿通具を指先で把持し、ストラップに対するストラップ挿通具の挿通位置を調整することによって、ループ状部の長さ調整を容易に行うことができる。特に、杖の使用者が、把持力の弱い老人や身体障害者等であったり、防寒用の手袋等を着用した人であったりしても、ストラップのループ状部の長さを容易に調整することができる。
さらに、前記ストラップ挿通具と前記規制具との係止によって、前記ループ状部が所定の長さより小さくならないようにする場合は、ループ状部が所望の長さより狭まることを規制でき、ループ状部に対する手首の出し入れを容易に行うことができる。
【００１２】
【発明の実施の形態】
上記「ストラップ」は、長さ調整可能なループ状部を形成し得る限り、その形状、大きさ、材質等は特に問わない。このストラップの形状としては、例えば、ベルト状、紐状、鎖状等を挙げることができる。また、ストラップの長さは、３０〜８０ｍｍ、特に４０〜７０ｍｍであることが好ましい。また、ストラップの材質としては、例えば、合成樹脂、皮、織布、金属等を挙げることができる。
また、上記ストラップは、例えば、その他端部に、互いに係脱可能な一対の係止具を設け、これら一対の係止具の係合によって、ストラップの他端部に筒状部を形成することができる。これにより、その筒状部を介してストラップの他端部を、取手に設けた固定部（例えば、取着孔部、縮径部等）に着脱自在に固定することができる。上記一対の係止具としては、例えば、ボタン（好ましくはホック式ボタン）、ファスナ等を挙げることができる。
【００１３】
上記「ストラップ挿通具」は、ストラップの一端部に設けられ、ストラップが挿通可能である限り、その形状、大きさ、材質等は特に問わない。このストラップ挿通具の形状としては、例えば、円環状、楕円環状、角環状、異形環状（日字状、目字状等）などを挙げることができる。また、このストラップ挿通具は、例えば、一対の挿通孔部と、ストラップの一端部に設けた筒状部を支持する支持部とを有することができる。このような形態のストラップ挿通具及びストラップは、通常、一般的な汎用品である。
【００１４】
上記ストラップには、上記ストラップ挿通具の挿通を規制する規制具を設けることが好ましい。これにより、ループ状部が所定の大きさ以下に狭まらないためである。この規制具としては、例えば、はと目金具、ボタン、ファスナ、バックル、クリップ等を挙げることができる。また、ストラップに適宜機能発生手段を付属させ得るといった観点から、規制具を利用して、ストラップにホイッスル、鈴、ラジオ等の音発生手段を備えることが好ましい。また、規制具を利用して、ストラップに、名札等の使用者情報表示手段を備えることが好ましい。
【００１５】
上記「固定部」は、ストラップ端部を固定し得る限り、その形状、大きさ、配置形態等は特に問わない。この固定部は、例えば、取手に形成された取着孔部であることができる。この場合、例えば、ストラップの端部を取着孔部に挿入し、適宜固定具（例えば、ネジ、ビス、スタッド等）によってストラップ端部を固定することができる。また、固定部は、例えば、取手と杖本体とを連繋する縮径部であることができる。この場合、例えば、ストラップの端部を、連結リング等を介して縮径部に係止してストラップ端部を固定することができる。
【００１６】
尚、上記「杖」の種類は種々選択でき、例えば、登山用若しくはハイキング用の杖（トレッキング用のストック）、老人や身体障害者等が用いる携帯用若しくは医療用の杖、スキー用の杖（スキー用のストック）等のレジャー用の杖等を例示できる。
また、上記「取手」は、使用者が把持し得る限り、その形状、大きさ、材質等は特に問わない。この取手の形状としては、例えば、直線状、Ｔ字状、逆Ｌ字状、逆Ｕ字状等を挙げることができる。
さらに、上記「取手構造」は、通常、上記固定部からストラップの一本の線状部を介して上記ループ状部が連続される。
【００１７】
上記「杖の取手構造の使用方法」は、例えば、前記ストラップ挿通具を一方の手の指先で摘むと共に、前記ストラップの前記ループ状部を他方の手の指先で摘んで、該ストラップ挿通具の該ストラップに対する挿通位置を調整して該ループ状部を広げ、その後、その広げられた該ループ状部に手首を挿入し、次に、前記取手に対して手首を離反させて該ループ状部を狭めてループ状部に手首を掛ける一方、前記ループ状部に手首が掛けられた状態より、前記ストラップ挿通具を一方の手の指先で摘んで、該ストラップ挿通具の該ストラップに対する挿通位置を調整して該ループ状部を広げ、その後、その広げられた該ループ状部から手首を外すようにすることができる。これにより、ループ状部の長さ調整をより容易に行って、ループ状部に対して手首を掛けたり外したりできる。
【００１８】
【実施例】
以下、図面を参照して実施例により本発明を具体的に説明する。
（１）杖の取手構造
本実施例に係る杖の取手構造１は、図１に示すように、杖本体２の上端部に連結される略直線状の取手３と、汎用品である樹脂製のストラップ４及びバックル５（ストラップ挿通具として例示する。）と、を備えている。
【００１９】
上記バックル５は、図２及び図３に示すように、額縁状の外枠部６と、この外枠部６の対向片間を連繋する直線状の支持部７と、これら外枠部６及び支持部７により形成される一対の挿通孔部８，８とを有している。各挿通孔部８の縦方向間隔ａは、ストラップ４の横幅より僅かに大きな値に設定されている。また、各挿通孔部８の横方向間隔ｂは、２本のストラップ４を重ねた厚さより僅かに大きな値に設定されている。従って、本実施例では、指先で摘んだバックル５を、ストラップ４に対して殆ど抵抗なくその挿通位置を調整することができる。
【００２０】
このバックル５の支持部７には、ストラップ４の一端部４ａに超音波溶着等により形成された筒状部９ａが回転自在に支持されている。そして、ストラップ４の他端部４ｂを一対の挿通孔部８，８に順次挿通させると共に、その筒状部９ａに連続する自由端部９ｂがバックル５の外枠部６に係止することによって、ループ状部１０が形成されている（図２参照）。このループ状部１０は、ストラップ４に対するバックル５の挿通位置を調整することによって、長さ調整し得るようになっている（図１参照）。
また、このストラップ４の他端部４ｂには、上記ループ状部１０を形成した後、その他端部４ｂを覆うように樹脂製のカバー部材１２が取着される。
【００２１】
また、ストラップ４のループ状部１０には、所定の位置にはと目金具１３（規制具及び環状具として例示する。）がカシメ固定されている。このはと目金具１３は、バックル５の挿通孔部８を通過しない大きさ・形状に形成されており、ストラップ４に対するバックル５の挿通を規制する機能を果たす。また、ストラップ４には、はと目金具１３を介してクマ避け用のホイッスル１４が着脱自在に装着されている。
【００２２】
上記取手３の上部には側方に延びる取着孔部１５（固定部として例示する。）が形成されている（図１参照）。この取着孔部１５には、ストラップ４の他端部４ｂの上記カバー部材１２が挿入される。このように挿入されたカバー部材１２は、取手３の頂上面よりねじ込まれる固定ネジ１６によって取着孔部１５内の所定位置に固定される。
【００２３】
（２）杖の取手構造の使用
上記構成の杖の取手構造１によると、杖の使用者がストラップ４のループ状部１０に手首を掛ける場合、一方の手の指先でストラップ４のループ状部１０を摘む一方、他方の手の指先でバックル５を摘む。そして、ストラップ４に対するバックル５の挿通位置を調整してループ状部１０を広げ、そのループ状部１０に手首を挿入する。そして、その挿入状態のまま手首を取手３から離反させると、ループ状部１０が狭まる。このとき、バックル５にはと目金具１３が係止して、ループ状部１０は所定の大きさ以下にはならない。
また、ループ状部１０から手首を外す場合、一方の手の指先でバックル５を摘んでストッラプ４に対する挿通位置を調整して、ループ状部１０を広げて手首を外す。
【００２４】
（３）実施例の効果
このように本実施例では、杖の使用者が、把持力の弱い老人や身体障害者等であったり、防寒用の手袋等を着用した人であったりしても、ストラップ４に対するバックル５の挿通位置を調整するだけで、ストラップ４のループ状部１０を容易に広げたり狭めたりでき、ストラップ４のループ状部１０に容易に手首を掛けたり外したりできる。
また、本実施例では、取手３には、ストラップ４の固定部としての取着孔部１５を設けるのみでよく、従来のように、複雑な構造の圧接支持部を設ける必要がなく、全体として簡易な構造で安価なものとすることができる。さらに、汎用品であるストラップ４及びバックル５を使用したので、更に簡易な構造で安価な物とすることができる。
【００２５】
ここで、上記従来の取手構造では、例えば、図６に示すように、取手１０３から直接的にループ状部１１０が設けられ、取手１０４とループ状部１１０との間に距離的な余裕がないので、杖の使用者が転倒等すると、手首の急な動作に杖が追従して、その杖で自身を傷つけてしまう恐れがあった。しかし、本実施例では、図１に示すように、取手３から一本の線状部１１を介してループ状部１０が設けられ、取手３とループ状部１０との間に距離的な余裕がある。従って、杖の使用者が転倒等しても、取手３を離してしまえば、手首の急な動作に杖が追従して自身を傷つけてしまうことを抑制できる。
【００２６】
また、本実施例では、はと目金具１３によって、ストラップ４のループ状部１０が必要な大きさ以下に狭まらないようにしたので、ループ状部１０に対する手首の出し入れを更に容易に行うことができる。さらに、はと目金具１３を利用して、ストラップ４にクマ避け用のホイッスル１４を備えるようにしたので、トレッキング用の杖として好適に使用することができる。
【００２７】
尚、本発明においては、上記実施例に限られず、目的、用途に応じて本発明の範囲内で種々変更した実施例とすることができる。即ち、上記実施例では、バックル５の各挿通孔部８を、ストラップ４に対して殆ど抵抗なく位置調整できる大きさ・形状に設定したが、これに限定されず、例えば、バックルの各挿通孔部を、ストラップに対して適度な摩擦抵抗をもって位置調整できる大きさ・形状に設定してもよい。即ち、図４（ａ）に示すように、バックル５の各挿通孔部８の縦方向間隔ａを、ストラップ４の横幅と略同じ値（あるいは僅かに小さな値）に設定したり、図４（ｂ）に示すように、各挿通孔部８の横方向間隔ｂを、２本のストラップ４の厚さと略同じ値（あるいは僅かに小さな値）に設定したりできる。
【００２８】
また、上記実施例では、固定部として、有底状の取着孔部１５を例示したが、これに限定されず、例えば、図５に示すように、貫通形成された取着孔部２０としてもよい。この場合、ストラップ４端部を、取着孔部２０を介して取手３の先端部に巻き回した状態で固定ネジ２１により固定することができる。さらに、固定部として、取手３と杖本体２との間に形成した縮径部２２を例示することができる。この場合、ストラップ４端部を、連結リング２３等を介して固定することができる（図５中仮想線参照。）。
さらに、図６に示すように、ストラップ４の端部４ｂに、互いに係脱自在な一対のホック式のボタン具３０ａ，３０ｂを設け、これら一対のボタン具３０ａ，３０ｂの係合によってストラップ４端部４ｂに筒状部３１を形成し、この筒状部３１を介してストラップ４端部４ｂを縮径部２２に係止するようにしてもよい。これにより、一対のボタン具３０ａ，３０ｂの係脱によって、縮径部２２に対してストラップ４端部４ｂを極めて簡易に着脱することができる。
【００２９】
また、上記実施例では、はと目金具１３を介してストラップ４にホイッスル１４を装着するようにしたが、これに限定されず、例えば、図６に示すように、互いに係脱自在な一対のホック式のボタン具４０ａ，４０ｂを介してストラップ４にホイッスル１４を装着するようにしてもよい。
さらに、上記実施例では、ストラップ４にホイスッル１４を装着したものを例示したが、これに限定されず、例えば、図６に仮想線で示すように、ストラップ４に、使用者の氏名、住所等が表記された名札５０を装着するようにしてもよい。
【図面の簡単な説明】
【図１】本実施例に係る杖の取手構造の全体構成を示す一部断面斜視図である。
【図２】ストラップ及びストラップ挿通具の挿通状態を説明するための断面図である。
【図３】図２のＩＩＩ−ＩＩＩ線断面図である。
【図４】ストラップ及びストラップ挿通具の挿通状態のその他の形態を説明するための説明図である。
【図５】取手の固定部のその他の形態を説明するための説明図である。
【図６】取手の固定部の更にその他の形態を説明するための説明図である。
【図７】従来の取手構造を説明するための斜視図である。
【符号の説明】
１；取手構造、３；取手、４；ストラップ、４ａ；一端部、４ｂ；他端部、５；バックル、７；支持部、８；挿通孔部、９ａ；筒状部、１０；ループ状部、１３；はと目金具、１４；ホイッスル、１５，２０；取着孔部、２２；縮径部、３０ａ，３０ｂ；一対のボタン具、３１；筒状部。
【図１】
2004154434.tif 000003
【図２】
2004154434.tif 000004
【図３】
2004154434.tif 000005
【図４】
2004154434.tif 000006
【図５】
2004154434.tif 000007
【図６】
2004154434.tif 000008
【図７】
2004154434.tif 000009